(57)【要約】【課題】着用者が手足を曲げることなく容易に着用でき、かつ、着心地の良い衣服を提供する。【解決手段】衣服１は着用者７の腕が通る左右の袖口２、２と、頭部が通る襟口３と、胴体又は両足が通る裾口４とを備えている。さらに、衣服１は、左右の袖口２、２から着用者７の肩の頂点近傍に位置する肩部２４、３４を通って襟口３の左右端に渡って開閉可能に構成された左右の第１開閉部５、５と、右前身頃３０と左前身頃２０とが互いに開閉可能に構成された第２開閉部６とを備えている。【選択図】    図１
0003121401.tif 000002
【実用新案登録請求の範囲】
【請求項１】
着用者の左右の腕がそれぞれ通る左右の袖口と、
前記着用者の頭部または首近傍が通る襟口と、
前記着用者の胴体、腰または両足が通る裾口と、
前記左の袖口から着用者の左肩頂点近傍に位置する左肩部を通って前記襟口の左端に渡って開閉可能に構成された左の第１開閉部と、
前記右の袖口から着用者の右肩頂点近傍に位置する右肩部を通って前記襟口の右端に渡って開閉可能に構成された右の第１開閉部と、
前記襟口から前記裾口に渡って開閉可能に構成された第２開閉部と、
を備えたことを特徴とする衣服。
【請求項２】
前記着用者の胴体の後ろ側を覆う後胴部と前記着用者の両腕の後側を覆う左右の後袖部とを備え略Ｔ字状に形成された後身頃と、
前記着用者の胴体前側の左寄りを覆う左前胴部と前記着用者の左腕の前側を覆う左前袖部とを備えて略Ｌ字状に形成された左前身頃と、
前記着用者の胴体前側の右寄りを覆う右前胴部と前記着用者の右腕の前側を覆う右前袖部とを備えて略Ｌ字状に形成された右前身頃と、
を備え、
前記左後袖部の下縁及び前記後胴部の左縁を通る左後脇部と、前記左前袖部の下端及び前記左前胴部の左縁とを通る左前脇部とが連結され、
前記右後袖部の下縁及び前記後胴部の右縁を通る右後脇部と、前記右前袖部の下端及び前記右前胴部の右縁とを通る右前脇部とが連結されていることを特徴とする請求項１記載の衣服。
【請求項３】
前記第２開閉部は紐部材により開閉可能に構成され、
前記左右の第１開閉部の中央及び前記袖口寄りは面ファスナにより開閉可能に構成され、
前記左右の第１開閉部の前記襟口近傍はスナップにより開閉可能に構成されていることを特徴とする請求項１に記載の衣服。
【請求項４】
前記左右の第１開閉部及び前記第２開閉部はいずれも紐部材により開閉可能に構成されたことを特徴とする請求項１に記載の衣服。
【考案の詳細な説明】
【技術分野】
【０００１】
本考案は、衣服に関し、特に手足を曲げることなく容易に着脱できるものに関する。
【背景技術】
【０００２】
病人や高齢者等、手足を自由に動かせない人のための衣服として、左右の袖口からそれぞれ袖の下端及び胴部の左右縁を通って裾に至って開閉可能に構成されたものが知られている（例えば特許文献１参照）。上記の衣服を着用する際には、まず開閉部を開き、肩部を中心として前身頃と後身頃とを上下に展開し、衣服を略平面状とした開状態で着用者の体の下に配置する。次に前身頃を着用者の腹側に被せ、開閉部を閉じる。こうして、着用者の手足を曲げることなく着せることができる。
【特許文献１】特開２００１−２２６８０７号公報  図２
【考案の開示】
【考案が解決しようとする課題】
【０００３】
しかしながら、上記の衣服においては次のような問題があった。すなわち、開状態にするためには左右の袖部及び胴部の全長に渡って開閉可能にする必要があるため、開閉部が多く着脱作業が煩雑となっていた。また、腕の内側、脇の下、横腹等に開閉部が当接するため着心地が悪かった。
【０００４】
そこで本考案は、容易に着脱でき、かつ、快適な着心地を実現できる衣服を提供することを目的とする。
【課題を解決するための手段】
【０００５】
本考案の一形態にかかる衣服は、着用者の左右の腕がそれぞれ通る左右の袖口と、前記着用者の頭部または首近傍が通る襟口と、前記着用者の胴体、腰または両足が通る裾口と、前記左の袖口から着用者の左肩頂点近傍に位置する左肩部を通って前記襟口の左端に渡って開閉可能に構成された左の第１開閉部と、前記右の袖口から着用者の右肩頂点近傍に位置する右肩部を通って前記襟口の右端に渡って開閉可能に構成された右の第１開閉部と、前記襟口から前記裾口に渡って開閉可能に構成された第２開閉部と、を備えたことを特徴とする。
【０００６】
また、他の一例では、上記に加え、前記着用者の胴体の後ろ側を覆う後胴部と前記着用者の両腕の後側を覆う左右の後袖部とを備え略Ｔ字状に形成された後身頃と、前記着用者の胴体前側の左寄りを覆う左前胴部と前記着用者の左腕の前側を覆う左前袖部とを備えて略Ｌ字状に形成された左前身頃と、前記着用者の胴体前側の右寄りを覆う右前胴部と前記着用者の右腕の前側を覆う右前袖部とを備えて略Ｌ字状に形成された右前身頃と、を備え、前記左後袖部の下縁及び前記後胴部の左縁を通る左後脇部と、前記左前袖部の下端及び前記左前胴部の左縁とを通る左前脇部とが連結され、前記右後袖部の下縁及び前記後胴部の右縁を通る右後脇部と、前記右前袖部の下端及び前記右前胴部の右縁とを通る右前脇部とが連結されていることを特徴とする。
【０００７】
また、他の一例では、上記に加え、前記第２開閉部は紐部材により開閉可能に構成され、前記左右の第１開閉部の中央及び前記袖口寄りは面ファスナにより開閉可能に構成され、前記左右の第１開閉部の前記襟口近傍はスナップにより開閉可能に構成されていることを特徴とする。
【０００８】
また、他の一例では、上記に加え、前記左右の第１開閉部及び前記第２開閉部はいずれも紐部材により開閉可能に構成されたことを特徴とする。
【考案の効果】
【０００９】
上記構成によれば、袖口から肩部を通って襟口に渡って開閉可能な左右の第１開閉部と襟口から裾口に渡って開閉可能な第２開閉部とを備えたことにより、衣服を開状態にするための開閉部を少なく抑えることができる。したがって、開閉作業が容易となり、かつ、違和感の少ない快適な着心地を実現できる。
【考案を実施するための最良の形態】
【００１０】
以下に本考案の第１実施形態について、図１〜図５を参照して説明する。図１及び図２に示される衣服１は、着用者７の胴体の後ろ側及び両腕の後ろ側を覆う後身頃１０と、胴体の前部左寄り及び左腕の前側を覆う左前身頃２０と、胴体の前部右寄り及び右腕の前側を覆う右前身頃３０とを備えている。衣服１には着用者７の左右の腕がそれぞれ通る左右の袖口２、２と、頭部や首が通る襟口３と、胴体や両足が通る裾口４とが形成されている。さらに、衣服１は、左右の袖口２、２からそれぞれ着用者７の肩の頂点近傍に位置する肩部２４、３４を通って襟口３の左右端に渡って開閉可能に構成された左右の第１開閉部５、５と、右前身頃３０と左前身頃２０とが襟口３から裾口４に渡って互いに開閉可能に構成された第２開閉部６とを備えている。
【００１１】
後身頃１０は、例えば１枚の綿製の生地から構成され、着用者７の胴体及び両足の後ろ側に位置する後胴部１１と、着用者７の両腕の後ろ側を覆う左右の後袖部１２、１２とを備えている。後身頃１０は中央上端の湾曲した襟部１３と、着用者７の肩の頂点近傍に対応する左右の肩部１４、１４と、左右の後袖部１２、１２の端部にそれぞれ形成された袖縁１５、１５と、袖縁１５の下端からそれぞれ幅方向中央下方に向かって湾曲した左右の後脇部１６、１６とこれら両後脇部１６、１６の下端を結び着用者７の膝付近に位置する裾部１７とに囲まれ、略Ｔ字状に形成されている。左右の後脇部１６、１６は、着用者７の腕の内側、脇の下及び胴体の左右縁に該当する部位であり、後袖部１２の下縁と後胴部１１の左右の縁とによって緩やかな弧状に構成されている。  
後胴部１１のうち特に蒸れやすい背中上部に当接する部分には、さらし等で構成された吸湿部１８が縫い付けられている。
【００１２】
左前身頃２０は、後身頃１０と同様に一枚の綿製の生地から形成され、左前胴部２１と左前袖部２２とを備えている。左前身頃２０は、上端に位置する肩部２４と、肩部２４の端部に形成された袖縁２５と、袖縁２５の下端から右下方向に湾曲した左前脇部２６と、肩部２４の右端から斜め下方向に延びる襟部２３と、襟部２３の下端から下方に延びた合わせ部２８と、合わせ部２８の下方と左前脇部２６の下端とを結ぶ裾部２７とに囲まれて略Ｌ字状に形成されている。  
右前身頃３０は、左前身頃２０と同様に一枚の綿製の生地から形成され、左前身頃２０と左右対称の形状である。
【００１３】
第１開閉部５、５において、肩部１４、１４には、複数の面ファスナ５１が縁に沿って縫い付けられ、肩部２４、３４にはこれらに対応する複数の面ファスナ５２が縁に沿って縫い付けられている。さらに、襟部１３の左右上端には雌スナップ５３が設けられ、襟部２３、３３の上端近傍にはこれらに対応する雄スナップ５４が設けられている。
【００１４】
第２開閉部６において、左前身頃２０の襟部２３の下端近傍に２本の紐部材５５が設けられ、これらに対応して右前身頃３０脇部３６に２本の紐部材５６が設けられている。さらに、左前身頃２０の脇部２６に１本の紐部材５７が設けられ、右前身頃３０の襟部３３にこれに対応する１本の紐部材５８が縫い付けられている。
【００１５】
図３に示されるように、後身頃１０と左右の前身頃２０、３０とは、左の後脇部１６と左前脇部２６とが縫合され、右の後脇部１６と右前脇部３６とが縫合されることにより互いに連結している。この開状態においては、衣服１は略平面状に展開されている。
【００１６】
次に、本実施形態にかかる衣服１を着用者７に着せる際の着用手順について説明する。
【００１７】
最初に、布団６０等に着用者７が横臥している状態において、着用者７の体の背側に衣服１を開状態で設置する（配置工程）。ここでは、まず図４に示すように左前身頃２０と後身頃１０とを展開させて広げ、右側半分を小さく畳んだ状態で、衣服１を着用者７の体の下側に軽く押し込む。次に、着用者７の右側から下側に押し込まれていた生地を引っ張り、広げる。このとき、着用者７の体を少し転がすことにより移動させても良い。こうして、図５に示されるように、衣服１が略平面状に展開された開状態で着用者７の体の下に広げられ、配置工程が完了する。ついで、左右の前身頃２０、３０を折りたたみ、胴体前部を覆う。肩部１４の複数の面ファスナ５１これらに対応する肩部２４、３４の面ファスナ５２とを留め、雌スナップ５３とこれに対応する雄スナップ５４とを留め、また、襟部２３、３３の紐部材５５〜５８をそれぞれ留めることにより（留め工程）、第１開閉部５、５及び第２開閉部６を閉状態にすると、図１に示す着用状態となる。以上のように、本衣服１は開状態において略平面状に展開するため、着用者７が手足を曲げて左右の袖口２、２、襟口３、裾口４に挿通することなく着せることができる。
【００１８】
また、脱がせる際には上記面ファスナ５１等、スナップ５３等、及び紐部材５５等を外し、左右の前身頃２０、３０を左右外方へ展開する。これに伴い、左右の肩部２４、３４はそれぞれ左右外方かつ脇部１６等よりも下方に展開され、左右の袖口２、２、襟口３、裾口４が開き、衣服１が略平面状の開状態となる。こうして、着用者７が手足を曲げて左右の袖口２、２、襟口３、裾口４から抜くことなく、衣服１を脱がせることができる。
【００１９】
本実施形態にかかる衣服１は以下に掲げる効果を奏する。すなわち、左右の袖口２、２から肩部１４、１４を通って襟口３の左右端までの第１開閉部５、５と襟口３から裾口４に至る第２開閉部６とにより衣服１を展開するための開閉部を少なくすることができる。したがって、開閉作業が容易であり、かつ、着心地が良い。
【００２０】
また、前身頃２０、３０と後身頃１０とはそれぞれ一枚の生地で、胴部１１等と袖部１２等とを有する構成としたため、縫い目を省略し、着心地をより良くすることができる。さらに、脇部１６等が弧状であり脇の下に該当する部分が緩く構成され、腕を動かす場合や衣服１の位置がずれた場合にも快適な着心地を維持することができる。
【００２１】
衣服１は左前身頃２０と右前身頃３０とを左右に開くことにより展開する構成であり、通常の浴衣の形状に近いため、扱いやすい。さらに、肩の頂点付近に位置する肩部１４等を通る構成であるため、前方あるいは後方から見た際に第１開閉部が目立たず、外観が自然である。
【００２２】
紐部材５５〜５８の長さを調節することで胸に医療器具等を取り付けた場合や、体型が変化した場合にも対応できる。さらに肩部２４等を通る第１開閉部５を適宜開口することにより上腕への注射等の際にも便利である。
【００２３】
なお、他の実施形態として、図６に示すように、上記第１実施形態の面ファスナ５１等の代わりに紐部材６１やスナップ６２を用いて第１開閉部を開閉するように構成してもよい。  
さらに上記各実施形態において、左前身頃２０の襟部２３と右前身頃３０の襟部３３とが交差する交差部分を面ファスナ６３、６３で固定するように構成してもよい。
【００２４】
本考案は上記各実施形態に限定されるものではなく、上記各実施形態は、本考案の要旨を逸脱しない範囲で種々変形実施可能である。
【図面の簡単な説明】
【００２５】
【図１】本考案の第１実施形態にかかる衣服の着用状態を示す平面図。
【図２】同衣服を分解して示す平面図。
【図３】同衣服の開状態を示す平面図。
【図４】同衣服の着用手順における配置工程を示す平面図。
【図５】同着用手順における留め工程を示す平面図。
【図６】他の実施形態にかかる衣服の開状態を示す平面図。
【符号の説明】
【００２６】
１…衣服、２…袖口、３…襟口、４…裾口、５…第１開閉部、６…第２開閉部、
１０…後身頃、１１…後胴部、１２…後袖部、１４…肩部、１６…後脇部、
２０…左前身頃、２１…左前胴部、２２…左前袖部、２４…肩部、２６…左前脇部、
３０…右前身頃、３１…右前胴部、３２…右前袖部、３４…肩部、３６…右前脇部。
【図１】
0003121401.tif 000003
【図２】
0003121401.tif 000004
【図３】
0003121401.tif 000005
【図４】
0003121401.tif 000006
【図５】
0003121401.tif 000007
【図６】
0003121401.tif 000008